Podtech/llm-jp-corpus-v4-ja_patent huggingface dataset:
(57)【要約】【課題】従来のメモ帳は、筆記のための用紙しかなく、そこに書き込んで記録をするものだが、それではパスワード(暗証番号)のような、他人に見られたくないものでも、容易に見られてしまう可能性があり、秘密事項を記録しておくのはとても不安であった。【解決手段】メモ帳内に筆記用紙部分とは別に、その背表紙内に収まるように、筆記用紙部分とは反対側に、施錠できるケース部分を設け、その中に入る大きさのカードや用紙にパスワード(暗証番号)などの秘密情報を書き、そのケース内に入れて施錠して保存できるようにした。【選択図】図１
2005288927.tif 000002
【特許請求の範囲】
【請求項１】
背面紙と、この背面紙の左側に折り曲げ部を介して連続する左側表紙と、前記背面紙の右側に折り曲げ部を介して連続する右側表紙と、前記左側折り曲げ部に沿って、背面紙の左から約三分の二に綴られる筆記用紙と、前記右側折り曲げ部から前記背面紙の右から約三分の一に設置されるパスワード(暗証番号)などを記したカードを保存するための鍵付きのケースとを有し、前記背面紙の幅に対し、左側に綴られる前記筆記用紙と、右側に設置される前記パスワード(暗証番号)などを記したカード保存するための鍵付きのケースとの和を小さくすることで、その両方を重なることなく背面紙内に収めるパスワード(暗証番号)などを安全に記録することを特徴としたメモ帳
【発明の詳細な説明】
【技術分野】
【０００１】
この発明は、メモ帳の形状に関する。
【背景技術】
【０００２】
従来のメモ帳の形状は、図４に示すように、５の筆記用紙に記録するものである。
【発明の開示】
【発明が解決しようとする課題】
【０００３】
しかしながら、以上の技術によれば、情報の電子化によって増加しているパスワード(暗証番号)やIDなど、秘密情報を、容易に他人に見られないように記録しておくことは困難であった。
そこで、この発明は、パスワード(暗証番号)などの秘密情報を容易に他人に見られないように記録できるメモ帳を提供することを課題とする。
【課題を解決するための手段】
【０００４】
以上の課題を解決するために、第一発明は、背面紙と、この背面紙の左側に折り曲げ部を介して連続する左側表紙と、前記背面紙の右側に折り曲げ部を介して連続する右側表紙と、前記左側折り曲げ部に沿って、背面紙の左約から三分の二に綴られる筆記用紙と、前記右側折り曲げ部から前記背面紙の約右側から三分の一に設置されるパスワード(暗証番号)などを記したカードを保存するための鍵付きのケースとを有し、前記背面紙の幅に対し、左側に綴られる前記筆記用紙と、右側に設置される前記パスワード(暗証番号)などを記したカード保存するための鍵付きのケースとの和を小さくすることで、その両方を重なることなく背面紙内に収めるパスワード(暗証番号)などを安全に記録することを特徴としたメモ帳である。
【発明の効果】
【０００５】
第一発明によれば、背面紙右側折り曲げ部から背面紙右側に設置されるパスワード(暗証番号)などを記したカード保存するための鍵付きのケースを設けたので、他人に容易に見られないように秘密情報を記録できる。
【発明を実施するための最良の形態】
【０００６】
この発明の一実施形態を、図１、図２、図３に示す。
背面紙４と、この背面紙４の左側に折り曲げ部３を介して連続する左側表紙１と、前記背面紙４の右側に折り曲げ部９を介して連続する右側表紙１０と、前記左側折り曲げ部３に沿って綴られる筆記用紙表紙２、筆記用紙記述ページ５と、前記右側折り曲げ部９から前記背面紙４右側スペース約三分の一に設置される、ケース内部８にパスワード(暗証番号)などを記した任意の形態パスワード(暗証番号)カード１２を保存し、施錠受け側部７と施錠入れ側部１１で施錠できるケース６とを有し、前記背面紙４の幅に対し、左側に綴られる前記筆記用紙表紙２、筆記用紙記述ページ５と、右側に設置される前記施錠できるケース６との和を小さくすることで、その両方が背面紙内に設けられている。
【０００７】
「実施形態の効果」
この実施形態によれば、筆記用紙記述ページ５に記録したいパスワード(暗証番号)が必要な銀行、クレジットカード、会員クラブ、インターネットサイトなどの名称やＩＤ、ＵＲＬなどを記入し、ケース内部８にそれと対応するパスワード(暗証番号)を記入した任意のパスワード(暗証番号)カード１２を入れ、ケース６を施錠することによって、容易には他人に見られないようにパスワード(暗証番号)を記録できる。
【０００８】
また、筆記用紙記述ページ５とケース内部８にそれと対応するパスワード(暗証番号)を記入する任意の形態のパスワード(暗証番号)カード１２の記入行数を同じくすることによって、何行目にどんなパスワード(暗証番号)記録したか覚えておくだけで、必要なたびごとに開錠してパスワード(暗証番号)カード１２を見ることなく対応しているパスワード(暗証番号)が分かる。
【０００９】
更に、原則的に必要となるパスワード(暗証番号)カード１２は一枚で十分であるが、色違いのパスワード(暗証番号)カード１２を複数用意し、それをダミーにすることによって、万一開錠された場合でも、容易には対応するパスワード(暗証番号)が分からないようにする効果ももつことができる。
「他の実施形態」
図１の実施形態では、ケース内部８にはパスワード(暗証番号)カード１２を入れたであったが、他の実施形態では、メモ帳のような他の筆記できるものをいれても良い。
【図面の簡単な説明】
【００１０】
【図１】この発明の一実施形態を示す外観図で、全ての開放部を開いた図である。
【図２】この発明の一実施形態を示す外観図で、右表紙を施錠可能部で施錠した図である。
【図３】この発明の一実施形態を示す外観図で、全ての表紙を閉じた図である。
【図４】従来技術を示す概観図である。
【符号の説明】
【００１１】
１  左側表紙            ２  筆記用紙表紙
３  左側に折り曲げ部４  背面紙          
５  筆記用紙記述ページ    ６  施錠できるケース本体
７  施錠受け側部    ８  ケース内部
９  右側折り曲げ部        １０  右側表紙
１１  施錠入れ側部
【図１】
2005288927.tif 000003
【図２】
2005288927.tif 000004
【図３】
2005288927.tif 000005
【図４】
2005288927.tif 000006
(57)【要約】【課題】フィルム同士が剥離しない積層フィルムの成形品を提供する。【解決手段】親水性多糖類層５に熱可塑性樹脂層６を固着したフィルム４を材料とし、これらのフィルム４を積み重ねて、熱プレス成形することにより、積層フィルム３の成形品を形成する。この成形品では、熱プレス成形に伴い、積層フィルム３が所定の形状に成形されると共に、積み重ねられたフィルム４の親水性多糖類層５が熱可塑性樹脂層６の接着力により相互に接着されるので、フィルム４同士が剥離することがない。【選択図】図４
2005288997.tif 000002
【特許請求の範囲】
【請求項１】
親水性多糖類フィルムを複数枚積み重ねてプレス成形した成形品において、前記親水性多糖類フィルム間に熱可塑性樹脂層を設けて、熱プレス成形したことを特徴とする積層フィルム成形品。
【発明の詳細な説明】
【技術分野】
【０００１】
この発明は、セロハン等の親水性多糖類フィルムを積層してプレス成形した積層フィルム成形品に関するものである。
【背景技術】
【０００２】
従来、セロハン等の親水性多糖類フィルムを複数枚重ね合わせてプレス成形した成形品が知られている。このような成形品は、生分解性を有するので、ブリスターパック等の包装材としての使用が考えられている。
【発明の開示】
【発明が解決しようとする課題】
【０００３】
しかしながら、上記のような成形品では、フィルム間の接着強度が十分でなく、特に、成形後に製品が乾燥すると、フィルム同士が剥離するという問題があった。
【０００４】
そこで、この発明は、フィルム同士が剥離しない積層フィルムの成形品を提供しようとするものである。
【課題を解決するための手段】
【０００５】
上記のような課題を解決するため、この発明は、親水性多糖類フィルムを複数枚積み重ねてプレス成形した成形品において、前記親水性多糖類フィルム間に熱可塑性樹脂層を設けて、熱プレス成形したのである。
【発明の効果】
【０００６】
この成形品では、熱プレス成形に伴い、積み重ねた親水性多糖類フィルムが熱可塑性樹脂層の接着力により相互に接着されるので、フィルム同士が剥離することがない。
【０００７】
また、熱可塑性樹脂層が生分解性を有する場合には、成形品全体が生分解性を有することとなり、廃棄後に埋立処分を行っても、環境に悪影響を及ぼすことがない。
【発明を実施するための最良の形態】
【０００８】
以下、この発明の実施形態を添付図面に基づいて説明する。
【０００９】
図１に示すブリスターパックは、この発明に係る成形品であるクリアカバー１と、厚手の板紙を使用した台紙２とから構成され、クリアカバー１を介して内部の商品が見えるようになっている。クリアカバー１は、積層フィルム３の成形品とされている。
【００１０】
前記積層フィルム３は、図２に示すように、複数枚（ここでは３枚）のフィルム４を積み重ねて形成され、各フィルム４は、親水性多糖類層５に熱可塑性樹脂層６を固着したものとされている。
【００１１】
各フィルム４の親水性多糖類層５は、セロハンと称されるセルロースを材料とし、熱可塑性樹脂層６は、ポリエステルやポリエチレンを材料とする。なお、ここで挙げた材料は一般的なものであり、これらに類する他の材料を用いてもよい。
【００１２】
このようなフィルム４からクリアカバー１に成形するには、図３に示すように、一対の金型７，８の間に複数枚積み重ねたフィルム４を挟み込み、高温となった金型７，８を接近させて熱プレス加工を行う。
【００１３】
この熱プレス加工に伴い、積層フィルム３が所定の形状に成形されると共に、積層フィルム３をなすフィルム４の親水性多糖類層５が熱可塑性樹脂層６の接着力により相互に接着されるので、成形後、時間が経過して積層フィルム３が乾燥しても、フィルム４同士が剥離することがない。
【００１４】
また、親水性多糖類層５は生分解性を有するので、熱可塑性樹脂層６に生分解性を有する材料を用いた場合には、成形品全体が生分解性を有することとなり、廃棄して埋立処分を行っても、環境に悪影響を及ぼすことがない。
【００１５】
なお、この実施形態では、積層フィルム３のフィルム４を、親水性多糖類層５と熱可塑性樹脂層６とが接するように積み重ねたが、親水性多糖類層５同士が接しないように留意しつつ、熱可塑性樹脂層６同士が接するように積み重ねてもよい。また、フィルム４の熱可塑性樹脂層６に、親水性多糖類層だけのフィルムを貼り合わせてもよい。
【図面の簡単な説明】
【００１６】
【図１】この発明に係る積層フィルム成形品を使用したブリスターパックの斜視図
【図２】同上の積層フィルムのプレス前の分離状態を示す一部拡大断面図
【図３】同上の熱プレス状態を示す断面図
【図４】同上の成形品の一部拡大断面図
【符号の説明】
【００１７】
１  クリアカバー
２  台紙
３  積層フィルム
４  フィルム
５  親水性多糖類層
６  熱可塑性樹脂層
７，８  金型
【図１】
2005288997.tif 000003
【図２】
2005288997.tif 000004
【図３】
2005288997.tif 000005
【図４】
2005288997.tif 000006
(57)【要約】【課題】  砂型で鋳造する際、砂に室温例えば２５℃において固体であり、昇華性の物質を添加すれば高温時に気体として鋳造欠陥の中に滞留し、冷却と共に固化して鋳造欠陥を封止するが、昇華するため鋳造砂型の砂に蓄積することなく、砂に影響を与えることも防止出来る。【解決手段】  メントール、カンファー、およびその誘導体、およびそれらの混合物を含有する鋳造砂型添加物を砂に添加する。【選択図】  なし【特許請求の範囲】
【請求項１】
メントールおよびその誘導体およびそれらの混合物を含有し、鋳造時に鋳造欠陥を封止し、油状物質に比べ工程での扱いが簡便であり、昇華することによって砂に蓄積することがないため砂の性質に影響を与えないことを特徴とする鋳造砂型添加物
【請求項２】
カンファーおよびその誘導体およびそれらの混合物を含有し、鋳造時に鋳造欠陥を封止し、油状物質に比べ工程での扱いが簡便であり、昇華することによって砂に蓄積することがないため砂の性質に影響を与えないことを特徴とする鋳造用砂型添加物
【発明の詳細な説明】
【技術分野】
【０００１】
【背景技術】
【０００２】  砂型鋳造を行う際、砂に亜麻仁油を添加すると鋳造した製品の欠陥を封止する効果があることは知られていた。しかし、亜麻仁油は空気中でも重合してしまうため工程で使いにくく、油状であるため砂の性質に影響を与え、型崩れ等他の不具合を発生する要因となることが懸念された。また、循環する砂中に蓄積して砂の性質に影響を与えることは十分に考えられた。また、油特有の悪臭があり作業環境を悪化させていた。
【発明の開示】
【発明が解決しようとする課題】
【０００３】  室温例えば２５℃において固体であり、昇華性の物質を用いれば、高温時に気体として鋳造欠陥の中に滞留し、冷却と共に固化して鋳造欠陥を封止するが、昇華するため鋳造砂型の砂に蓄積することなく、砂に影響を与えることも防止出来る。
【課題を解決するための手段】
【０００４】  固体で昇華性のある物質を鋭意検討した結果、砂にメントール、カンファーを添加することが有為であることを見いだした。
【発明の効果】
【０００５】  鋳造時高温時にカンファー、メントールの気体分子が鋳造製品の欠陥に滞留し、冷却とともに固化し欠陥を封止する。
【発明を実施するための最良の形態】
【０００６】  鋳造中子砂型の砂にメントール、カンファー混合物を１００℃にて含浸させたものを常法に従い中子成型を行い、鋳造を行う。
【産業上の利用可能性】
【０００７】  鋳造の不良率を低下することが出来る。
(57)【要約】【課題】    何処でもすみやかに外傷等の消毒をできるようにするとともに、持運びも便利なようにコンパクトにする。【解決手段】    脱脂綿等１と消毒液を入れた容器２を結合して、柄３を素早く差し込めるように、容器２に柄３を組み込んでおく。【選択図】    図１
2005288098.tif 000002
【特許請求の範囲】
【請求項１】
プラスチックの容器に消毒液を詰め、液が漏れないようにして、片方に吸収性のある脱脂綿等を結合した外傷用消毒器。
【請求項２】
消毒液の方を上にして、鋭くした柄を差し込み、液が、下に落ちる力を利用し、脱脂綿等に吸収させ、そのまま一体化して使用する外傷用消毒器。
【発明の詳細な説明】
【技術分野】
【０００１】本発明は、消毒液をつめた容器の片方に吸収性のある脱脂綿等を結合し、上から鋭くした柄を脱脂綿等まで差し込み穴を開け、液が下に落ちる力を利用して、下の脱脂綿等に消毒液を吸収させて、そのままの形で使用する使い捨ての消毒器である。又、携帯できるようにコンパクトな形になっている。
【背景技術】
【０００２】従来、消毒は、ガーゼ等をピンセントではさみ薬品等に浸して行なっていた為、屋外等の怪我の消毒は困難であった。
【発明の開示】
【発明の効果】
【０００３】このようにすれば、消毒液がこぼれることもなく、多少の衝撃に耐えるため、持運びも簡単になり、誰でも、屋外等でも簡単に外傷の消毒ができる。
【発明を実施するための最良の形態】
【０００４】本発明は、外傷の消毒を簡単にできるようにし、それを図面について説明すれば、脱脂綿等１に、消毒液を入れた容器２を結合し、柄３を組み込んでおき、素早く外傷等の消毒をできるようにした使い捨ての外傷用消毒器である。
【図面の簡単な説明】
【０００５】
【図１】脱脂綿等を取り付けた容器と、柄の断面図である。
【図２】組み込んだ時の正面図である。
【符号の説明】
【０００６】１  脱脂綿等
２  消毒液を入れた容器
３  柄
【図１】
2005288098.tif 000003
【図２】
2005288098.tif 000004
(57)【要約】【課題】本発明は、低摩擦すべり無限軌道を備えた旅行かばんである。通常のキャスター付き旅行かばんは床の平らな所でしか効力を発揮しないので、階段でも楽に携行出来る旅行かばんを提供する。【手段】旅行かばん（７）の外周を一周する様に無限軌道ガイドケース（４）と（９）を設ける。ガイドケースは平行して２本設ける。旅行かばん（７）の上部及び両サイドは、ガイドケース（９）の形とし、下部はガイドケース（４）の形とする。ガイドケース（４）、（９）の内側には低摩擦樹脂板（１）を貼付ける。摩擦面に低摩擦樹脂板を貼った円周状の無限軌道（３）をガイドケース（４）、（９）にセットする。【選択図】  図１
2005288099.tif 000002
【特許請求の範囲】
【請求項１】
低摩擦すべり無限軌道（６）を装着した旅行かばん（７）。
【請求項２】
低摩擦樹脂板（１）、（２）を使用した低摩擦すべり無限軌道（６）。
【発明の詳細な説明】
【発明の詳細な説明】
【技術分野】
【０００１】  本発明は、低摩擦すべり無限軌道を装着した旅行かばんであって、旅行者が階段昇降時にも楽に携行出来る旅行かばんに関するものである。
【背景技術】
【０００２】  従来、大型の旅行かばんは、キャスターが装着されており楽にかばんを携行したまま移動出来る様なされている。
【発明が解決しようとする課題】
【０００３】  従来のキャスター付き旅行かばんは、床が平らな場所ではその効果を十分に発揮し、旅行者は楽々と旅行かばんを携行したまま移動出来る。しかし階段を昇降する時は、旅行かばんの全重量を手で支えた上、階段の段鼻に当らない高さまで迄持ち上げ保持しなければならない。旅行かばんを持ち上げた状態で階段を昇降するのは、力の弱い者特に女性にとって困難かつ危険である。
本発明は、これらの問題点を解決し楽に階段部でも旅行かばんを携行出来るようになされたものである。
【課題を解決するための手段】
【０００４】旅行かばん（７）の外周を一周する様に無限軌道ガイドケースを設ける。ガイドケースは平行して２本設ける。旅行かばん（７）の上部及び両サイドは、ガイドケース（９）の形とし、下部はガイドケース（４）の形とする。ガイドケース（４）、（９）の内側には低摩擦樹脂板（１）を貼付ける。摩擦面に低摩擦樹脂板を貼った円周状の無限軌道（３）をガイドケース（４）、（９）にセットする。
本発明は、以上の構成からなる階段昇降時にも楽に携行出来る様に、低摩擦すべり無限軌道を装着した旅行かばんである。
【発明を実施するための最良の形態】
【０００５】以下、本発明の実施の形態を説明する。
（イ）旅行かばん（７）の外周を一周する様無限軌道ガイドケースを設ける。ガイドケースは平行して２本設ける。旅行かばん（７）の上部及び両サイドは、ガイドケース（９）の形とし、下部はガイドケース（４）の形とする。
（ロ）ガイドケース（４）、（９）の内側に低摩擦ポリエチレン樹脂板（１）を貼付ける。
（ハ）摩擦面に低摩擦ポリエチレン樹脂板（２）を貼った円周状の無限軌道（３）をガイドケースに嵌め込む。無限軌道（３）は、ゴム製としその内部には、伸び防止のためのワイヤー（５）を埋め込んでおく。
本発明は以上の構成よりなる。
本発明を使用する場合は、図２に示す様に、階段の段鼻を結ぶ線上で低摩擦無限軌道が直接段鼻と接する様に置き、そのままスライドさせて昇降させる。
【発明の効果】
【０００６】  本発明を階段で使用するとき、持ち上げて不安定な状態で昇降しなくても良いだけでなく、力の分力により、昇降させるのに要する力を、かばんの重さの６０％程度（図２の階段勾配の場合）に減じる事が出来る。
【図面の簡単な説明】
【０００７】
【図１】本発明の斜視図
【図２】本発明の使用状況図
【図３】本発明の部分断面詳細図
【符号の説明】
（１）低摩擦ポリエチレン樹脂板（ガイドケース側）
（２）低摩擦ポリエチレン樹脂板（無限軌道側）
（３）ゴム製無限軌道
（４）ガイドケース（底面側）
（５）伸び防止ワイヤー
（６）低摩擦すべり無限軌道
（７）旅行かばん
（８）階段
（９）ガイドケース（上面、側面側）
【図１】
2005288099.tif 000003
【図２】
2005288099.tif 000004
【図３】
2005288099.tif 000005
(57)【要約】【課題】従来の傘に日焼け防止用補助具を装着することによって、日焼け防止を効果的にする。【解決手段】この発明の日焼防け止用補助具は、所定の形状を有し、切り込みと留め具を備え、傘の本骨と中骨の空間に装着して、傘の上部、つまり傘の軸から中骨までの部分を二重にすることによって日焼け防止効果を達成しうるものである。【選択図】図１
2005288094.tif 000002
【特許請求の範囲】
【請求項１】
所定の形状を有し、切り込みと、留め具を備え、傘の本骨と中骨の空間に装着することを特徴とする日焼け防止用補助具。
【請求項２】
折りたたみ傘の収納袋兼用であることを特徴とする請求項１記載の日焼け防止用補助具。
【発明の詳細な説明】
【技術分野】
【０００１】この発明は日傘あるいは折りたたみ傘に装着して使用する日焼け防止用補助具に関するものである。
【背景技術】
【０００２】従来の日傘は、ファッション性を重視するあまり傘の布は、一枚仕立てで、色は白系及び淡色系が多く、遮光性及び紫外線のカットが弱い。
【発明の開示】
【発明が解決しようとする課題】
【０００３】従来の日傘は日差しが強いときなどは、太陽が直接顔や頭に当たっているようで暑く、日焼け防止の効果は少ない。この発明で、従来の問題点を解消する為に、日傘あるいは折りたたみ傘に付ける日焼け防止用補助具を提供することを目的とする。
【課題を解決する為の手段】
【０００４】この発明の日焼け防止用補助具は、傘の本骨と中骨の空間に装着して傘の上部，つまり傘の軸から中骨までの部分を二重にすることによって、日焼け防止効果を達成するものである。
【発明の効果】
【０００５】以上のように、この発明の日焼け防止用補助具によれば、傘の上部は二重になるので、従来より日焼け防止の効果があり、さらに紫外線カットの多い材質で作れば、特に効果的であるし、傘の内側に装着するので、外側からは見えず傘本体の材質、色が異なっていても外観を保つことが出来、見栄えが良い。またこの日焼け防止用補助具は折りたたみ日傘の場合、収納袋になる。
【発明を実施するための最良の形態】
【０００６】従来の日傘の本骨と中骨が構成する空間において、日焼け防止用補助具の切り込みで傘の軸を挟み、本骨に接触するように取り付けるもので、その形状は、例えば円形で半径線上に切り込みを有し、その端部に留め具を有する日焼け防止用補助具である。
【実施例１】
【０００７】図１は、この発明の日焼け防止用補助具を装着した状態を示す斜視図である。【０００８】図２は、傘の本骨と中骨が構成する空間に日焼け防止用補助具を装着した断面図である。【０００９】図３は、日焼け防止用補助具の平面図である。【００１０】この日焼け防止用補助具６の素材は、傘と同じか別の布、又はプラスチック、フイル厶、シート、紙類等の材料で、好ましくは、遮光性、紫外線防止を備えた前記布、または別布、プラスチック、フイルムまたはシート等の材料である。【００１１】日焼け防止用補助具６の中心まで切り込みを入れ、布の場合は、ホツレ防止処理をし、留め具８．８を付けた円形等の所定の形状を有するものである。留め具８は、例えば、平面状ファスナー（マジックテープ）、ホック等使用できる。【００１２】この補所具６を傘の本骨１と中骨２が構成する空間５に入れ、切り込み７で傘の軸４を挟み、本骨１に接触するように装着し、留め具８．８で留め、補助具の周囲９を本骨１と中骨２の接続部３に軽く挟み込むと落下しない。傘の上部は、傘の布と補助具で二重になるので日焼け防止になる。
【実施例２】
【００１３】図４は、日焼け防止用補助具に折りたたみ傘１２を収納した図である。【００１４】日焼け防止用補助具を折りたたみ傘に巻きつけ要所を収納袋留め１１で留める。
【産業上の利用可能性】
【００１５】この発明は、日焼け防止に関するものであり、ゴルフ用日傘、ビーチパラソル用にも利用することが出来る。
【図面の簡単な説明】
【００１６】
【図１】日焼け防止用補助具を装着した状態を示す斜視図である。
【図２】日焼け防止用補助具を装着した状態を示すＡ−Ａ線断面図である。
【図３】日焼け防止用補助具の平面図である。
【図４】傘を収納した状態を示す斜視図である。
【符号の説明】
【００１７】１．傘の本骨                    ９．日焼け防止用補助具の周囲
２．傘の中骨                  １０．日焼け防止用補助具の中心
３．本骨と中骨の接続部        １１．収納袋留め
４．傘の軸                    １２．折りたたみ傘
５．本骨と中骨の空間
６．日焼け防止用補助具
７．切り込み
８．留め具
【図１】
2005288094.tif 000003
【図２】
2005288094.tif 000004
【図３】
2005288094.tif 000005
【図４】
2005288094.tif 000006
(57)【要約】【課題】  従来、顔の一部分を拡大して映す鏡は、平面鏡と凹面鏡を組み合わせた物や、平面鏡に小さな凹面鏡を貼着した髭剃り用の実用的な物よりなかった。【解決手段】  漫画で美人を描く場合には目を大きく描く。であれば目だけ大きく映る鏡を作れば誰でも美人に映る。このような発想から平面鏡の両目が映る部分を凹面とし、目のみ大きく映る鏡としたもの。【選択図】  図１
2005288100.tif 000002
【特許請求の範囲】
【請求項１】
平面鏡の両目が映る部分を凹面とした、目のみ大きく映る鏡。
【発明の詳細な説明】
【技術分野】
【０００１】  主に若い女性を対象とした、いわゆる「おもしろグッズ」の家庭用具である。
【背景技術】
【０００２】  従来、顔の一部を拡大して映す鏡は、通常に映る平面鏡と拡大されて映る凹面鏡を表と裏に組み合わせた物や、平面鏡に小型の凹面鏡を貼着し髭剃り用等のために顎の部分を拡大して映す実用的な物よりなかった。
【発明の開示】
【発明が解決しようとする課題】
【０００３】  漫画で美人を描く場合には目を大きく描く。であれば目だけ大きく映る鏡を作れば誰でも美人に映る。このような発想から考案したものである。
【課題を解決するための手段】
【０００４】  平面鏡の両目が映る部分を凹面とし、目のみ拡大されて映るようにしたもの。
【発明の効果】
【０００５】  これに顔を映した女性は、必ずニッコリとうれしそうに笑う。「可愛らしくありたい」と言う女性心理をくすぐるものである。
【発明を実施するための最良の形態】
【０００６】  小型で顔のみ映るものとし、掛け鏡・置き鏡・手鏡等とする。
【実施例】
【０００７】  主な使用対象者は女子中学生・女子高校生である。
【産業上の利用可能性】
【０００８】  子供から大人までおもしろ楽しく、また、さびしいときの「いやし系グッズ」として利用できる。さらに、うつ病の治療にも応用できる。
【図面の簡単な説明】
【０００９】
【図１】  正面図
【図２】  平面図
【図３】  左側面図
【図４】  Ａ−Ａ′横断面図
【図５】  Ｂ−Ｂ′縦断面図
【符号の説明】
【００１０】        １…平面部
２…凹面部
【図１】
2005288100.tif 000003
【図２】
2005288100.tif 000004
【図３】
2005288100.tif 000005
【図４】
2005288100.tif 000006
【図５】
2005288100.tif 000007
(57)【要約】【課題】  妊婦や出産後の婦人、腰痛や痔疾の人が通常の椅子に座るときに起こる負担や苦痛を軽減させたい。【解決手段】  手前から後部にかけて、１０〜２０度の傾斜をもつ座台を椅子の上に置き、その上に座ることで上記の人々の負担や苦痛を軽減させることができる。【選択図】図１
2005288093.tif 000002
【特許請求の範囲】
【請求項１】
妊婦や出産後の婦人、あるいは腰痛や痔疾の人が、通常の椅子の上に置いて座ることで、これらの人々の負担や苦痛を軽減させることができるよう工夫された座台。
【発明の詳細な説明】
【発明の詳細な説明】
【技術分野】
【０００１】  傾斜をつけた座台
【発明が解決しようとする課題】
【０００２】  妊婦や出産後の婦人、あるいは腰痛や痔疾の人が通常の椅子に座ると自らの体重で腹部や臀部を圧迫し、そのために負担や苦痛を伴う場合が多いので、これらの苦痛を軽減させたい。
【課題を解決するための手段】
【０００３】  本発明は弾力性のある座部分が、手前に１０度〜２０度の角度で斜めになるように形成された座台で、椅子の上に置いて座ると、腹部や臀部にかかる体重が軽減され、上記の人々の苦痛を和らげることができる。
又、健常者でもこの座台を用いることにより、足が伸び反射的に背筋が伸びて、猫背になることを自然に補正することもできる。
【発明を実施するための最良の形態】
【０００４】  以下、本発明の実施の形態を図１〜図３に基づいて説明する。【０００５】  図１において、１は通常の椅子で、２は座台、３は人を表す。【０００６】  図２において、座台は前部の蝶番４で半固定された台板５と傾斜板６、傾斜板の上に固定された粘弾性材（ポリウレタンフォーム、ポリエチレン、ゴムスポンジ、ポロン等）でできた座布団７、台板と傾斜板との角度を変えられる変角装置８、及び台板の下に貼られた無反発系材９、の６部材から構成されている。【０００７】  図３において、座布団は中央部に丸穴があいており、前部中央にかけて自転車のサドルのような盛り上がりがあり、体が前に滑り落ちるのを防止する形状をしている。
【発明の効果】
上述したように、本発明の座台は椅子の上に置き、その上に座ることで、妊婦や出産後の婦人、あるいは腰痛や痔疾の人の負担や苦痛を軽減させることができるものである。
【図面の簡単な説明】
【図１】  本発明の実施形態を示す側面図
【図２】  座台の構造を示す側面図
【図３】  座台の座布団部分の上面図
【符号の説明】
５  台板
６  傾斜板
７  座布団
８  変角装置
９  無反発系材
【図１】
2005288093.tif 000003
【図２】
2005288093.tif 000004
【図３】
2005288093.tif 000005
(57)【要約】      （修正有）【課題】寝ながら本を読むことができるベット用読書用具を提供する。【解決手段】書物を開いて入れることが出来る直方体の上蓋を透明板にし、これを蝶番と磁石を使って開閉できるようにし、この蝶番及び磁石をつけたたて枠の両側面の等間隔の位置にほそながい３本のスリットを設け、対応するスリット間に留め金と止めネジをつけた針金を渡し、これを外側からスリットの所要の高さに書物を抑えるように固定し、上蓋を閉じた状態で書物を読めるようにした。【選択図】図２
2005288081.tif 000002
【特許請求の範囲】
【請求項１】
書物を開いて入れることが出来る直方体の上蓋を透明板にし、これを蝶番と磁石を使って開閉できるようにし、この蝶番及び磁石をつけたたて枠の両側面の等間隔の位置にほそながい３本のスリットを設け、対応するスリット間に留め金と止めネジをつけた針金を渡し、これを外側からスリットの所要の高さに書物を抑えるように固定し、上蓋を閉じた状態で書物を読めるようにした読書用具
【請求項２】
読書用具の両側に電球を着け夜間用とする。この場合３本のスリットのうち両側の２ほんの針金で両翼の書物の跳ね上がりを押さえて、照明の平均化をはかる。
【請求項３】
読書用具の上部の２箇所に紐をつけてつるし、所要のいちに固定する。
【発明の詳細な説明】
【技術分野】
【０００１】本発明は、ベッドに寝ながら手を使うことなく本を読めるようにした読書用具である。
【背景技術】
【０００２】ベッド上で生活する人が増えており、本を読みたくても読めない人が多かったので、寝ながらでも本を読みやすくする必要うがある。
【発明の効果】
【０００３】このよううにすれば、従来スタンド型の読書用具はあったが、いずれも本を台の上に置いて頭を上にして本を見下ろす形式のものであり、不便を感じていた。この用具を使えばねたまま目の上の本を読むことが出来る。
【発明を実施するための最良の形態】
【０００４】以下本発明の実施の形態を説明する。
（イ）本の大きさにより、小｛文庫本型｝と大【週刊誌型｝に分けたほうが良い。
（ろ）特別の大きさや重さのものは、寝ながら読むには適さない。
（ハ）本を一度セットすれば、ページを繰るときだけこの用具の上蓋を開き、ページを繰って上蓋を閉じればそのまま読みつずけることができる。
（ニ）電気スタンドまたは十字スタンドの横棒に吊るせば希望する位置にセットできる。
（ほ）夜間は電球を使えば、この用具の中だけを明るく出来る。
（ヘ）用具の材料は問わないが、プラスチックによる金型成型がべんりである。なお上蓋に使う透明板は、アクリルなどの高級品が望ましい。
【図面の簡単な説明】
【０００５】
【図１】  本発明の斜視図
【図２】  使用状態の斜視図
【図３】  スリット部の針金部分の構造図
【符号の説明】
【０００６】    １  上蓋
２  磁石
３  スリット
４  留め金
５  蝶番
６  針金
７  止めネジ
８  たて枠
９  底板
【図１】
2005288081.tif 000003
【図２】
2005288081.tif 000004
【図３】
2005288081.tif 000005
(57)【要約】【課題】  従来一般的に各種スポーツ毎に規定又は慣例によりボールの製造材質、寸法が定っており、正式な試合ではない練習時にも、そのようなボールが使用されているが、そのような規定・慣例に捕らわれず、もっと技術の向上する、練習用ボールを考えた。【解決手段】  各種スポーツ毎の従来の材質で、正式ボールより適宜小さめの物を作り、その表面を透明又は半透明の適宜な材料により被覆し、正式ボールと同一寸法又はやや小さめな寸法に仕上げる。このように作ったボールなら、例えば野球の場合、バッターはピッチャーが投げてくるボールを、正式ボールより小さく見る状態となり、それを見定めて打つ為には正式ボールに対する場合より、より一層の緊張感を以て臨まざるを得ず、常時そのような状況で練習に励めば、自ずと選球眼・技術の向上が計れる。【特許請求の範囲】
【請求項１】
各種スポーツの練習用のボールであり、そのそれぞれのスポーツの規定又は慣例に則って製造される部分を、そのそれぞれのスポーツの規定又は慣例に則った寸法より適宜小さく作り、その小さく作った構造物の表面を、透明又は半透明な材料により被覆し、そのそれぞれのスポーツの規定又は慣例に則った又は準じた、寸法・重量に仕上げた、そのように作られた各種スポーツそれぞれの練習用ボール。
【請求項２】
請求項１のボールの製造過程において、透明又は半透明な材料により被覆する以前に、その小さく作った構造物を、赤・青・緑など各種の色に着色、或いは様々な模様付けをする、或いは様々な装飾物を付ける、或いは球形以外の適宜な形に変形する、或いはそれらを組み合わせる、そのように作られた各種スポーツそれぞれの練習用ボール。
【請求項３】
各種スポーツの練習用のボールであり、そのボールの中心部分を原色又は赤・青・緑など各種の色に着色、或いは様々な模様付けをする、或いは様々な装飾物を付ける、或いは球形以外の適宜な形に変形する、或いはそれらを組み合わせる、などの方法で、且つその寸法・重量を適宜変更し製造、その後その表面部分を透明又は半透明な材料により被覆し、被覆後の寸法・重量は其のそれぞれのスポーツの規定又は慣例に則った又は準じた物に仕上げた、そのように作られた各種スポーツそれぞれの練習用ボール。
【発明の詳細な説明】
【技術分野】
【０００１】  本発明は各種スポーツの練習用ボールに関するものである。
【背景技術】
【０００２】  従来は一般的に各種スポーツ毎に規定又は慣例により、ボールの製造材質、寸法が定っており、正式な試合の時以外の練習時にも、そのようなボールが使用されている。
【発明の開示】
【発明が解決しようとする課題】
【０００３】  前項のような規定又は慣例に捕われ、練習時もその様なボールだけで練習をしていると練習者の技術が向上しない。【０００４】  本発明は、その様な各種スポーツの規定又は慣例に捕われぬ、革新的な練習用ボールにより、練習者の技術の向上を計る事を目的するものである。
【課題を解決するための手段】
【０００５】  そこで本発明は前記目的を達成するために、従来の材質で正式ボールより適宜小さめの物を作り、その表面を透明又は半透明の適宜な材料により被覆し、正式ボールと同一寸法又はやや小さめな寸法に仕上げる物とした。【０００６】  また第２の課題解決手段として請求項２・同３の様に赤・青などに着色、或いは様々な模様付けをする、などの様に作る事とした。【０００７】  上記第１の課題解決手段による作用は次の通りである。すなわち前記のように作られたボールなので、例えば野球の場合、バッターはピッチャーが投げてくるボールを、正式ボールより小さく見る状態となり、それを見定めて打つ為には、正式ボールに対する場合より、より一層の緊張感を以て臨まざるを得ず、常時そのような状況で練習に励めば、自ずと技術の向上が計れる。【０００８】  又野球の場合、守備側もバッターが打ったボール或いは守備側同志の送球などを受ける場合も、ボールを小さく見る状態となれば、より一層の緊張感を以て臨まざるを得ず、常時そのような状況で練習に励めば、自ずと技術の向上が計れる。【０００９】  更に上記第２の課題解決手段による作用は次の通りである。すなわち前記のように作られたボールなので、その着色、模様付けした中心部分を相当小さく作っても、その着色、模様付けによりキツチリ目視でき、より一層の緊張感を持つようになり、常時そのような状況で練習に励めば、更に技術の向上が計れる。【００１０】  無論前記作用は野球に限らず、他のスポーツにおいても同様の効果を発揮するもので、テニスでもゴルフでも、ボールを常時実際より小さく見る状態で練習に励めば、自ずと技術の向上が計れる。
【発明の効果】
【００１１】  上述したように本発明は各種スポーツの練習において自然に、従来より一層の緊張感を以て臨まざるを得ぬ状態とし、自ずと技術の向上が計れるものとしたものである。
(57)【要約】【課題】  衣類の脇の下の乾燥を早めるための、伸縮自在ハンガーを提供する。【解決手段】  直線パイプの本体の中に収納した伸縮パイプのツマミを移動し、外側に押し出すことで、衣類の脇の下が直角になる伸縮自在ハンガー。【選択図】  図１
2005288087.tif 000002
【特許請求の範囲】
【請求項１】
本体パイプの中に収納した伸縮パイプは共に直線で、ツマミを移動し、伸縮パイプを左右外側に押し出すことを特徴とする伸縮自在ハンガー。
【発明の詳細な説明】
【技術分野】
【０００１】  本発明は、襦袢・バスローブ・パジャマ等の脇の下の乾きを早める事を目的としたハンガーに関するものである。
【背景技術】
【０００２】  従来、洗濯物を干す時は、肩に傾斜のあるハンガー・洗濯バサミの付いた角ハンガー等を使用していた。
【発明の開示】
【発明が解決しようとする課題】
【０００３】  そのために、次のような問題点があった。
脇の下は他の部分に比べ容易に乾かず、向きや干し方を変える等、時間と労力を要していた。
本発明は、以上の問題点を解決するためになされたものである。
【課題を解決するための手段】
【０００４】  本体パイプの内部に収納された伸縮パイプのツマミを本体切り込みに沿って外側両端にスライドさせることで、脇と袖が直角になり脇の下の乾燥を早める。
【発明の効果】
【０００５】  本発明は、乾きにくい脇の下を直角にして干すことによって光線や通風をよくし、乾燥を早める。したがって、途中で向きや干し方を変えたりするわずらわしさがない。
【発明を実施するための最良の形態】
【０００６】  以下、本発明の実施の形態について説明する。
（イ）ポリプロピレンのパイプからなる本体（１）の中央から両端方向に直線の切り込みを入れ、両端２．５センチ手前に達した地点でそのまま下方向直角に１センチの切込みを入れる（２）。
（ロ）本体パイプ（１）に丁度収まる一回り小さい径の伸縮パイプ（３）の片側に本体と      同径の蓋を固定する（４）。
（ハ）伸縮パイプ（３）２本を本体（１）両端から、それぞれ内部にスライドさせる。
伸縮パイプ（３）の長さはそれぞれ収納した場合本体（１）の中央部より短くし、      蓋（４）が本体（１）に収まるように調節する。
収めた伸縮パイプ（３）先端にそれぞれ本体切込み部分からツマミ（５）を差し込      み固定する。
（ニ）本体中心部よりフック（６）を取り付け、フック（６）は下部まで貫通させ下部は      楕円形の輪（７）にし、フック上部の竿に接する部分は滑り止め（８）を施す。
本発明は以上のような構造で、これを使用するときは、本体（１）に衣類を掛け、丸  型のツマミ（５）を左右共切り込んだ溝に沿って外側にスライドさせ、直角になった位  置で下げる。この時点で一度外側に出たパイプは中側に戻ることがないので袖と身頃が  直角になる。ハンガー下部にせり出した楕円形の輪（７）を回転させフック（６）の向  きを変えることが出来る。尚、竿に接触する部分は滑り止めをつけることで風でハンガ  ーが移動することを防ぐ。
【図面の簡単な説明】
【０００７】
【図１】本発明の斜視図
【図２】本発明の透視斜視図
【図３】本発明の使用状態を示す斜視図
【符号の説明】
【０００８】    １    本体
２    切り込み
３    伸縮パイプ
４    蓋
５    ツマミ
６    フック
７    輪
８    滑り止め
【図１】
2005288087.tif 000003
【図２】
2005288087.tif 000004
【図３】
2005288087.tif 000005
(57)【要約】【課題】  冷蔵庫で冷却され硬くなったバター等を、容易に安定して帯状に薄くあるいは厚く削り、必要に応じ塊に切り取ることが自在に出来て、薄く削り取ったバターをパンの全面に平均的に塗ることが出来るバターナイフを提供する。【解決手段】  へら部分（１）に、その先端部を凸半円状に形成し、上方へすくい角（４）を形成するよう傾斜させた刃部分（３）を設け、刃部分（３）の外縁端面に、用途に応じ刃先（５）を形成したことを特徴とするバターナイフ。【選択図】  図１
2005288076.tif 000002
【特許請求の範囲】
【請求項１】
へら部分（１）と柄部（２）とを備えたバターナイフにおいて、前記へら部分（１）に、その先端部を凸半円状に形成し、上方へすくい角（４）を形成するように刃部分（３）を設けてなるバターナイフ。
【請求項２】
前記刃部分（３）の端面に直線または曲線及びそれらの組み合わせで構成される刃先（５）を形成してなる請求項１記載のバターナイフ。
【発明の詳細な説明】
【技術分野】
【０００１】  本発明はバターナイフの改良に関するものである。
【背景技術】
【０００２】  従来、パン等にバターを塗る場合、冷蔵庫で冷却されたバターを、バターナイフのへら部分で必要量切り取り、パンの上に置き、薄く延ばすようにしている。
【発明の開示】
【発明が解決しようとする課題】
【０００３】  上述の如き従来技術のバターナイフには、次のような問題点があった。
（イ）  冷蔵庫で冷却され硬くなったバター等を、容易に帯状に薄く削り取ることが大変難しい。
（ロ）  切り取ったバターは厚めになり、或いは小さな塊り状になるため、パン等に塗る場合容易に溶けにくく、全面に平均的にバターを塗り拡げる事が難しかった。
（ハ）  焼かれたパン等の温度が下がると、再びパンをトースターに入れ再加熱した後、バターを延ばし拡げなければならなかった。
（ニ）  焼かれたパン等の温度が下がると無理やりバターをバターナイフで延ばそうとするため、パン等が潰れてしまうことがあった。
本発明は、これらの問題点を解決するためになされたものである。
【課題を解決するための手段】
【０００４】  へら部分（１）の先端部を凸半円状に形成し、上方へすくい角（４）を形成するように傾斜させた刃部分（３）を設ける。用途により刃部分（３）の端面に、直線または曲線及びそれらの組み合わせで構成される刃先（５）を形成。本発明は、以上の構成よりなるバターナイフである。
【発明の効果】
【０００５】  本発明を使用することによって、冷蔵庫で冷却され硬くなったバター等を、薄くまたは厚く安定して帯状に削り、あるいは塊りに切り取ることが自在にできるようになります。
帯状に薄く削り取ったバターをパンなどに塗る場合は、パンの全面にパンを潰すことなく、へら部分（１）で延ばし拡げることが出来ます。
【発明を実施するための最良の形態】
【０００６】  以下、本発明の実施の形態について図面を参照しながら説明する。
（イ）図１に、本発明に係わるバターナイフの一例が示してある。このバターナイフはへら部分（１）と、このへら部分（１）から伸びた柄部分（２）を有する。
（ロ）注目すべきは、へら部分（１）に、その先端部分を凸半円状に形成し、上方へすくい角（４）を形成するように傾斜させた刃部分（３）を設けたことである。特別な用途には、刃部分（３）の端面に直線または曲線及びそれらの組み合わせで構成される刃先（５）を形成する。図（５）、図（６）、図（７）に刃先（５）の断面形状例を示してある。
本発明は以上の構成でこれを使用する時は、図（２）のように刃部（３）をバター面に平行にあてがい刃部分（３）を若干傾斜させながら前方に動かし食い込みを入れる。食い込み深さで削る厚みが決まるので厚みを決めたら、その状態で削る面に平行にバターナイフを操作する。この操作でバターを目標の厚みに薄く削り取ることができる。
従来のバターナイフでは、バター面に平行にあてがうことが出来ず、ナイフは鋭角で食い込んだ状態になる、鋭角に押し込むことは出来ても削り面に平行に操作することは大変困難、このため薄くバターを削ることができなかった。
次に注目すべきは、バターナイフを前方に操作する時、へら部分（１）の先端部が凸半円状の形をしているため、最先端からじょじょに手前に削れる。最先端で削れたバターは後から削れるバターに引っ張られ、薄く削られたバターはカールできない。カールしたものは、パン等の面に塗るとき溶けにくくなるという欠点が生じるけれども、この欠点も解決されている。
凸半円状の形でさらに注目すべきは、バターナイフを直線的に操作する時、その操作方向が多少左右に振れても、一番大きな力のかかる位置は自動的に刃部分（３）の中心付近になるため、直線的な操作が楽にできることである。刃部分の先端が直線または大きな半径の円弧で出来ている場合は、操作方向がわずかに左右に振れただけで、力のかかる位置は刃幅の最右端、最左端に移動し、そこから削れるので、直線操作は右に左に動きやすく操作しにくいという問題点が生ずる。この問題点も解決出来ている。
さらに刃部分（３）の先端はケースの四方の壁に当てつけることができるため、削り残しがなくなり、ケースに残るバターの上面も平らに削れるので、残るバターの上面を綺麗な面にして保存することができる。
図（５）に刃先（５）の断面の一例を示してある。この刃先は安全性を満足しバターを、薄く、厚く、ともに削り易い等、バランスのとれた刃先である。図（６）の刃先はバターへ食い込みがよく、小さな力で削り易く、特に薄く削るのに適している。図（７）の刃先は端面を磨いただけのコストのかからない最も実用的な形である。刃先の作り方で、コスト、性能等の要求に応え、ナイフにバリエーションを持たせることが出来る。
以上のように本発明は、極めてシンプルな形で多くの機能を果たすことが出来、実用上大変有益なバターナイフである。
【図面の簡単な説明】
【０００７】
【図１】  本発明の斜視図である。
【図２】  本発明の使用状態を示す断面図である。
【図３】  本発明の平面図である
【図４】  本発明の横断面図である。
【図５】  本発明の刃先の断面図である。
【図６】  本発明の刃先の断面図である。
【図７】  本発明の刃先の断面図である。
【符号の説明】
【０００８】      １  へら部分
２  柄部分
３  刃部分
４  すくい角
５  刃先
【図１】
2005288076.tif 000003
【図２】
2005288076.tif 000004
【図３】
2005288076.tif 000005
【図４】
2005288076.tif 000006
【図５】
2005288076.tif 000007
【図６】
2005288076.tif 000008
【図７】
2005288076.tif 000009
(57)【要約】【課題】頑丈な親骨３と支骨４を１２本ずつ設けた既存の特殊な傘と比べると、その強度はほとんど変わらずにかなり安く且つ軽くでき、しかも、いわゆる「おちょこ」にもなりにくい傘を提供する。【解決手段】傘本体１を上から見て、全周３６０度のうちおよそ３０度乃至１５０度の範囲の実施面２において、親骨３と支骨４の本数を増やすか、あるいはそれらの強度を高める。【選択図】    図１
2005288075.tif 000002
【特許請求の範囲】
【請求項１】
傘本体（１）を上から見て、全周３６０度のうちおよそ３０度乃至１５０度の範囲の実施面（２）において、親骨（３）と支骨（４）の本数を増やすか、あるいはそれらの強度を増した、強風に対応できる傘。
【請求項２】
実施面（２）における傘布（５）を含む全部を合わせたものの比重を他の非実施面（６）における全部を合わせたものの比重より大きくするか、あるいは実施面（２）側に握り部（７）を含めた軸棒（８）が僅かに傾くように設計して、実施面（２）が風が吹いて来る方向に自然に向くようにした請求項１に記載の、強風に対応できる傘。
【請求項３】
傘布（５）に通風孔（９）を設けるとともに、該通風孔（９）をその上から覆う副布（１０）を、該通風孔（９）の石突き（１１）側において傘布（５）に縫い付けた請求項１又は請求項２に記載の、強風に対応できる傘。
【請求項４】
実施面（２）がほぼＪ字状の握り部（７）の突端（１２）側である請求項１乃至請求項３のいずれかに記載の、強風に対応できる傘。
【発明の詳細な説明】
【技術分野】
【０００１】  本発明は、強風に対応できる傘、特に相当な強風を受けても親骨が折れ曲がらず、しかもいわゆる「おちょこ」にもなりにくい傘（雨傘と日傘を含む）に関する。
【背景技術】
【０００２】  相当な強風を受けても親骨が折れ曲がらない特殊な傘として、頑丈な親骨と支骨を通常の８本ずつではなく１２本ずつ設けたものがある。しかし、それは壊れにくいという長所はあるものの、強風をまともに受ける狭い面だけでなく、まともに受けない広い面にも頑丈な親骨と支骨を設けているため、高価で重いという欠点がある。
また、実開平１−９０４１７の「洋傘」は傘布に貫通孔を設けるとともに、その上にサブの傘布を設けるもので、いわゆる「おちょこ」になりにくいものではあるが、強風を受けたとき親骨が折れ曲がりやすいという欠点がある。
更に、特開平７−９５９０４の「傘」は、親骨と支骨との枢着部材にテーパ状のストッパを設けるもので、これもいわゆる「おちょこ」になりにくいものではあるが、上記と同じ欠点がある。
【特許文献１】実開平１−９０４１７号公報
【特許文献２】特開平７−９５９０４号公報
【発明の開示】
【発明が解決しようとする課題】
【０００３】  本発明が解決しようとする課題は、相当な強風を受けても親骨が折れ曲がらない、頑丈な親骨と支骨を１２本ずつ設けた前記の特殊な傘と比べると、その強度はほとんど変わらずにかなり安く且つ軽くでき、しかも、いわゆる「おちょこ」にもなりにくい傘を提供することである。
【課題を解決するための手段】
【０００４】  本発明の強風に対応できる傘は、傘本体を上から見て、全周３６０度のうちおよそ３０度乃至１５０度の範囲の実施面において、親骨と支骨の本数を増やすか、あるいはそれらの強度を増したものである。【０００５】  また、本発明の強風に対応できる傘は、実施面における傘布を含む全部を合わせたものの比重を他の非実施面における全部を合わせたものの比重より大きくするか、あるいは実施面側に握り部を含めた軸棒が僅かに傾くように設計して、実施面が風が吹いて来る方向に自然に向くようにしたものである。【０００６】  また、本発明の強風に対応できる傘は、傘布に通風孔を設けるとともに、該通風孔をその上から覆う副布を、該通風孔の石突き側において傘布に縫い付けたものである。【０００７】  また、本発明の強風に対応できる傘は、実施面の位置をほぼＪ字状の握り部の突端側にしたものである。
【発明の効果】
【０００８】  本発明の傘は、頑丈な親骨と支骨を１２本ずつ設けた既存の特殊な傘と比べると、強風にたいする抵抗力はほとんど変わらずに、かなり安く且つ軽くできる。しかも、通風孔と副布を設けたものでは、いわゆる「おちょこ」にもなりにくい。更に、強度を著しく高めた実施面は風が吹いて来る方向に自然に向くとともに、ほぼＪ字状の握り部は強風時に握りやすい。更に、本発明の傘は壊れにくいので、資源の浪費や環境への負担を軽減する。
【発明を実施するための最良の形態】
【０００９】  本発明の最良の実施形態は、図１に示すように、ほぼＪ字状の握り部７の突端１２側において、約１００度の範囲の実施面２に親骨３と支骨４を５本ずつ蜜に設けたものである。これらの親骨３と支骨４は非実施面６におけるそれらと同じものを使用するが、全体として通常のものよりやや強度を増すことが望ましい。傘は風上側に傾けて使うため、また、この場合は実施面２側が重いため、軸棒８を特に曲げなくても、強度を高めたその実施面２は、風が吹いて来る方向に自然に向いて対抗することになる。
【実施例１】
【００１０】  本発明の実施例１を図２により説明する。
これは、ほぼＪ字状の握り部７の突端１２側において、約１００度の範囲の実施面２に、強度を大幅に増した親骨３と支骨４を３本ずつ設けるもので、軸棒８は実施面２側に僅かに傾けてある。図２では、理解しやすいように、その軸棒８の傾きは一目で分かるように描いたが、実際は、よく見ないと分からないくらい極めて僅かに傾けるのがよい。その傾け方については、軸棒８を全体的に僅かに曲げてもよいし、軸棒８の上部のほうなどで僅かに屈曲させてもよい。
なお、約１４０度の範囲の実施面２に強度を増した親骨３と支骨４を４本ずつ設け、そのうち風を最も強く受ける中央の２組みを特別に頑丈にするのもよい。
【実施例２】
【００１１】  図示を省略したが、図２の極めて太い親骨３や支骨４の替わりに、通常のものよりやや強度を増した親骨３と支骨４を使い、その枢着部材として長めでやや弾力性のある丈夫な筒状のものを用いるのもよい。強風のために親骨３が折れ曲がるのは、強風をまともに受ける面におけるその枢着部分がほとんどであるため、この方法も有効である。
なお、図１と図２では、従来のオーソドックスな長傘を描いたが、本発明はそれに限らず折り畳み式やジャンプ式の傘にも適用できるものである。
【図面の簡単な説明】
【００１２】
【図１】  本発明に係る傘の実施形態を示す、斜め下側から見た斜視図である。
【図２】  本発明に係る傘の別の実施形態を示す、斜め下側から見た斜視図である。
【符号の説明】
【００１３】    １：傘本体
２：実施面
３：親骨
４：支骨
５：傘布
６：非実施面
７：握り部
８：軸棒
９：通風孔
１０：副布
１１：石突き
１２：突端
【図１】
2005288075.tif 000003
【図２】
2005288075.tif 000004